(57)【要約】本開示の実施例はランニングボードアセンブリ及びランニングマシンに関し、フィットネス機器の分野に属し、該ランニングボードアセンブリは、前側ランニングボードと、前端面がヒンジ部材で前側ランニングボードの後端面にヒンジ連結され、前側ランニングボードと後側ランニングボードとのヒンジ箇所にヒンジスロットを有する後側ランニングボードと、前側ランニングボード及び後側ランニングボードに、伝動可能のように隙間を置いて套設される環状ランニングベルトと、を備え、更に、前側ランニングボード及び後側ランニングボードの上表面に敷設されて、ヒンジスロットを覆っているフレキシブル層を備える。【選択図】図２−１
2020504638.tif 000002
【特許請求の範囲】
【請求項１】
ランニングボードアセンブリであって、
前側ランニングボード（１）と、
前端面がヒンジ部材（３）で前記前側ランニングボード（１）の後端面にヒンジ連結される後側ランニングボード（２）であって、前記前側ランニングボード（１）と後側ランニングボード（２）とのヒンジ箇所にヒンジスロットを有する、後側ランニングボード（２）と、
前記前側ランニングボード（１）及び前記後側ランニングボード（２）に、伝動可能のように隙間を置いて套設される環状ランニングベルト（４）と、
前記前側ランニングボード（１）及び前記後側ランニングボード（２）の上表面に敷設されて、前記ヒンジスロットを覆っているフレキシブル層（５）と、を備える、前記ランニングボードアセンブリ。
【請求項２】
前記フレキシブル層（５）が接着方式で前記前側ランニングボード（１）及び前記後側ランニングボード（２）の上表面に敷設され、又は
前記フレキシブル層（５）が係着方式で前記前側ランニングボード（１）及び前記後側ランニングボード（２）の上表面に敷設される
請求項１に記載のランニングボードアセンブリ。
【請求項３】
前記フレキシブル層（５）の材質がエチレン−酢酸ビニル共重合体又はポリエチレンである
請求項１に記載のランニングボードアセンブリ。
【請求項４】
前記ランニングボードアセンブリは更に前記フレキシブル層（５）の上表面に敷設される耐摩耗層（６）を含む
請求項１〜３のいずれか１項に記載のランニングボードアセンブリ。
【請求項５】
前記耐摩耗層（６）が接着方式で前記フレキシブル層（５）の上表面に敷設される
請求項４に記載のランニングボードアセンブリ。
【請求項６】
前記耐摩耗層（６）の材質がポリテトラフルオロエチレン、ナイロン、又はポリエチレンテレフタレートである
請求項４又は５に記載のランニングボードアセンブリ。
【請求項７】
前記ランニングボードアセンブリは更に前記耐摩耗層（６）の上表面に敷設される平滑化層（７）を含む
請求項４又は５に記載のランニングボードアセンブリ。
【請求項８】
前記ランニングボードアセンブリは更に前記ヒンジスロット両側の前記フレキシブル層（５）と前記前側ランニングボード（１）及び前記後側ランニングボード（２）との接続を固定するように配置される第１固定具（８）を含む
請求項１に記載のランニングボードアセンブリ。
【請求項９】
前記第１固定具（８）が強力接着剤層であり、且つ、前記強力接着剤層が前記ヒンジスロットの両側でそれぞれ前記フレキシブル層（５）と前記前側ランニングボード（１）との間、及び前記フレキシブル層（５）と前記後側ランニングボード（２）との間に接着され、又は
前記第１固定具（８）が複数のフレキシブル締め付け部材であり、且つ、前記複数のフレキシブル締め付け部材が前記ヒンジスロットの両側でそれぞれ前記フレキシブル層（５）と前記前側ランニングボード（１）とを、及び前記フレキシブル層（５）と前記後側ランニングボード（２）とを締め付ける
請求項８に記載のランニングボードアセンブリ。
【請求項１０】
前記ランニングボードアセンブリは更に前記ヒンジスロットの上方の前記フレキシブル層（５）と前記耐摩耗層（６）との接続を固定するように配置される第２固定具（９）を含む
請求項４に記載のランニングボードアセンブリ。
【請求項１１】
ランニングマシンであって、
請求項１〜１０のいずれか１項に記載のランニングボードアセンブリを備える、前記ランニングマシン。
【発明の詳細な説明】
【技術分野】
【０００１】
（関連出願の相互参照）
本出願は、出願番号が２０１７１１２０２６７８．８で、出願日が２０１７年１１月２７日である中国特許出願に基づいて提出され、且つ該中国特許出願の優先権を主張し、該中国特許出願のすべての内容がここに参照として本出願に組み込まれる。
【０００２】
（技術分野）
本開示はフィットネス器具分野に関し、特にランニングボードアセンブリ及びランニングマシンに関する。
【背景技術】
【０００３】
ランニングマシンは、ランニングボードアセンブリと、ランニングボードアセンブリを駆動して動作させるように配置される駆動アセンブリと、駆動アセンブリを制御するように配置される制御アセンブリと、を備え、ランニングボードアセンブリが地面に置かれ、占有面積が大きく、収納しにくいという技術的問題を解決するために、折り畳み可能なランニングボードアセンブリを提供する必要がある。
【０００４】
ところが、従来技術において、一般的に、折り畳み可能なランニングボードの前側ランニングボードと後側ランニングボードとの間にヒンジスロットを有するため、ユーザがヒンジスロットの上方のランニングベルトでスポーツする際に、快適性が乏しい。
【発明の概要】
【発明が解決しようとする課題】
【０００５】
関連技術における問題を解決するために、本開示はランニングボードアセンブリ及びランニングマシンを提供する。
【課題を解決するための手段】
【０００６】
本開示の実施例の第１態様に係るランニングボードアセンブリであって、
前側ランニングボードと、
前端面がヒンジ部材で前記前側ランニングボードの後端面にヒンジ連結され、前記前側ランニングボードと後側ランニングボードとのヒンジ箇所にヒンジスロットを有する後側ランニングボードと、
前記前側ランニングボード及び前記後側ランニングボードに伝動可能のように隙間を置いて套設される環状ランニングベルトと、を備え、
更に、前記前側ランニングボード及び前記後側ランニングボードの上表面に敷設されて、前記ヒンジスロットを覆っているフレキシブル層を備える。
【０００７】
可能な一実現方式では、前記フレキシブル層が接着方式で前記前側ランニングボード及び前記後側ランニングボードの上表面に敷設され、又は
前記フレキシブル層が係着方式で前記前側ランニングボード及び前記後側ランニングボードの上表面に敷設される。
【０００８】
可能な一実現方式では、前記フレキシブル層の材質がエチレン−酢酸ビニル共重合体又はポリエチレンである。
【０００９】
可能な一実現方式では、前記ランニングボードアセンブリは更に前記フレキシブル層の上表面に敷設される耐摩耗層を含む。
【００１０】
可能な一実現方式では、前記耐摩耗層が接着方式で前記フレキシブル層の上表面に敷設される。
【００１１】
可能な一実現方式では、前記耐摩耗層の材質がポリテトラフルオロエチレン、ナイロン、又はポリエチレンテレフタレートである。
【００１２】
可能な一実現方式では、前記ランニングボードアセンブリは更に前記耐摩耗層の上表面に敷設される平滑化層を含む。
【００１３】
可能な一実現方式では、前記ランニングボードアセンブリは更に前記ヒンジスロット両側の前記フレキシブル層と前記前側ランニングボード及び前記後側ランニングボードとの接続を固定するように配置される第１固定具を含む。
【００１４】
可能な一実現方式では、前記第１固定具が強力接着剤層であり、且つ、前記強力接着剤層が前記ヒンジスロットの両側でそれぞれ前記フレキシブル層と前記前側ランニングボードとの間、及び前記フレキシブル層と前記後側ランニングボードとの間に接着され、又は
前記第１固定具が複数のフレキシブル締め付け部材であり、且つ、前記複数のフレキシブル締め付け部材が前記ヒンジスロットの両側でそれぞれ前記フレキシブル層と前記前側ランニングボードとを、及び前記フレキシブル層と前記後側ランニングボードとを締め付ける。
【００１５】
可能な一実現方式では、前記ランニングボードアセンブリは更に前記ヒンジスロットの上方の前記フレキシブル層と前記耐摩耗層との接続を固定するように配置される第２固定具を含む。
【００１６】
本開示の実施例の第２態様に係るランニングマシンであって、本開示の実施例の第１態様に記載のランニングボードアセンブリを備える。
【発明の効果】
【００１７】
本開示の実施例に係る技術案は以下の有益な効果を有する。
【００１８】
本開示の実施例に係るランニングボードアセンブリは、前側ランニングボード及び後側ランニングボードの上表面にフレキシブル層を敷設して、ヒンジスロットを覆っていることにより、ヒンジスロットで形成された「窪み」を埋めることができるだけでなく、フレキシブル層がフレキシブル特性を有するため、前側ランニングボード及び後側ランニングボードの折り畳み及び展開にも影響しない。このように設置すれば、ヒンジスロットで形成された「窪み」を埋めるため、ユーザがヒンジスロットの上方の環状ランニングベルトでスポーツする際に足の裏の不快感を避ける一方、フレキシブル層によって更に環状ランニングベルトと前側ランニングボード及び後側ランニングボードとの衝撃・振動を軽減することもでき、それによりユーザがランニングボードアセンブリでスポーツする際の体験を更に改善する。
【図面の簡単な説明】
【００１９】
【図１−１】図１−１は従来技術におけるランニングボードアセンブリが展開される際の正面図である。
【図１−２】図１−２は従来技術におけるランニングボードアセンブリが折り畳まれた際の正面図である。
【図２−１】図２−１は例示的な一実施例に係るランニングボードアセンブリの正面図である。
【図２−２】図２−２は例示的な一実施例に係る耐摩耗層を有するランニングボードアセンブリの正面図である。
【図２−３】図２−３は図２−２におけるランニングボードアセンブリの部分拡大図である。
【図２−４】図２−４は図２−１におけるランニングボードアセンブリの部分拡大図である。
【図２−５】図２−５は図２−２におけるランニングボードアセンブリのさらなる部分拡大図である。
【図３】図３は例示的な一実施例に係る前部ローラ、後部ローラが設置されるランニングボードアセンブリの正面図である。
【発明を実施するための形態】
【００２０】
（符号の説明）
１  前側ランニングボード
２  後側ランニングボード
３  ヒンジ部材
４  環状ランニングベルト
５  フレキシブル層
６  耐摩耗層
７  平滑化層
８  第１固定具
９  第２固定具
１０  前部ローラ
１１  後部ローラ
本開示の実施例の技術案をより明確に説明するために、以下に実施例の記述において必要な図面を用いて簡単に説明を行うが、当然ながら、以下に記載する図面は単に本開示の実施例の一例であって、当業者であれば、創造的な労力を要することなく、これらの図面に基づいて他の図面に想到しうる。
【００２１】
本開示の目的、技術案及び利点をより明確にするために、以下に図面を参照しながら本開示の実施形態を更に詳しく説明する。
【００２２】
ここで、例示的な実施例を詳しく説明し、その例を図面に示す。以下の説明が図面に関わるとき、特に断りがない限り、異なる図面における同じ数字が同様又は類似する要素を示す。以下の例示的な実施例に説明される実施形態は本開示に一致するすべての実施形態を代表するものではない。逆に、それらは添付の特許請求の範囲に詳述される、本開示のいくつかの態様に一致する装置の例に過ぎない。
【００２３】
ただし、本開示の実施例に記載の「環状ランニングベルト４が前側ランニングボード１及び後側ランニングボード２に、伝動可能のように隙間を置いて套設される」意味は、その１として、環状ランニングベルト４で前側ランニングボード１及び後側ランニングボード２をその内部に収納し、且つ、任意の外力を受けない元の位置状態にあるとき、環状ランニングベルト４と前側ランニングボード１及び後側ランニングボード２との間に隙間を有するため、直接接触することがないことであり、その２として、環状ランニングベルト４が前側ランニングボード１及び後側ランニングボード２を回って動くことが可能であり、つまり、環状ランニングベルト４が前側ランニングボード１及び後側ランニングボード２を回って回転する。且つ、ユーザの足が環状ランニングベルト４に踏むと、環状ランニングベルト４が前側ランニングボード１又は後側ランニングボード２に適応的に接触することである。
【００２４】
本開示の実施例はランニングボードアセンブリを提供し、図２−１に示すように、該ランニングボードアセンブリは、
前側ランニングボード１と、
前端面がヒンジ部材３で前側ランニングボード１の後端面にヒンジ連結され、前側ランニングボード１と後側ランニングボード２とのヒンジ箇所にヒンジスロットを有する後側ランニングボード２と、
前側ランニングボード１及び後側ランニングボード２に、伝動可能のように隙間を置いて套設される環状ランニングベルト４と、を備え、
更に、前側ランニングボード１及び後側ランニングボード２の上表面に敷設されて、ヒンジスロットを覆っているフレキシブル層５を備える。
【００２５】
関連技術において、図１−１に示すように、ランニングボードアセンブリは、前側ランニングボード１と、前端面がヒンジ部材３で前側ランニングボード１の後端面にヒンジ連結される後側ランニングボード２と、前側ランニングボード１及び後側ランニングボード２に、伝動可能のように隙間を置いて套設される環状ランニングベルト４と、を備える。前側ランニングボード１と後側ランニングボード２とのヒンジ箇所にヒンジスロットを有し、それにより後側ランニングボード２を前側ランニングボード１の上方に折り畳むことを可能にする。図１−１に示すように、通常使用時、前側ランニングボード１及び後側ランニングボード２を平らに展開して一体型ランニングボードを形成し、図１−２に示すように、折り畳む必要があるとき、後側ランニングボード２をヒンジ部材３に沿って前側ランニングボード１まで折り畳むとともに、後側ランニングボード２に対向する環状ランニングベルト４の一部も対応して折り畳まれる。
【００２６】
関連技術において、一般的に、前側ランニングボード１と後側ランニングボード２との間にヒンジスロットを有するため、ユーザがヒンジスロットの上方の環状ランニングベルト４でスポーツする際に、快適性が乏しい。この技術的問題を解決するために、本開示の実施例はランニングボードアセンブリを提供し、前側ランニングボード１及び後側ランニングボード２の上表面にフレキシブル層５を敷設して、ヒンジスロットを覆うことにより、ヒンジスロットで形成された「窪み」を埋めることができるだけでなく、フレキシブル層５がフレキシブル特性を有するため、前側ランニングボード１及び後側ランニングボード２の折り畳み及び展開にも影響しない。このように設置すれば、ヒンジスロットで形成された「窪み」を埋めるため、ユーザがヒンジスロットの上方の環状ランニングベルト４でスポーツする際に足の裏の不快感を避ける一方、フレキシブル層５によって更に環状ランニングベルト４と前側ランニングボード１及び後側ランニングボード２との衝撃・振動を軽減することもでき、それによりユーザがランニングボードアセンブリでスポーツする際の体験を更に改善する。
【００２７】
また、前側ランニングボード１と後側ランニングボード２との間に落差があっても、フレキシブル層５をその上に敷設することにより、該落差を埋めて、ユーザがランニングをする際の快適性を向上させることもできる。
【００２８】
本開示の実施例に係るランニングボードアセンブリは、通常使用時、前側ランニングボード１及び後側ランニングボード２を平らに展開して一体型ランニングボードを形成し、折り畳む必要があるとき、後側ランニングボード２がヒンジ部材３に沿って前側ランニングボード１に折り畳まれる（又は、前側ランニングボード１がヒンジ部材３に沿って後側ランニングボード２に折り畳まれる）とともに、後側ランニングボード２に対向する環状ランニングベルト４及びフレキシブル層５の一部も対応して折り畳まれると理解される。
【００２９】
可能な一実現方式では、フレキシブル層５が前側ランニングボード１及び後側ランニングボード２の上表面の一部又は上表面全体に敷設される。フレキシブル層５の敷設面積を具体的に制限せず、フレキシブル層５でヒンジスロットを覆っていればよく、それによりユーザがヒンジスロットの上方の環状ランニングベルト４で快適にスポーツすることができる。
【００３０】
例示的に、フレキシブル層５の敷設面積が前側ランニングボード１及び後側ランニングボード２の上表面の面積の和より小さくてもよい。
【００３１】
例示的に、フレキシブル層５の敷設面積が前側ランニングボード１及び後側ランニングボード２の上表面の面積と、ヒンジスロットの上表面の面積との和に等しくてもよい。
【００３２】
例示的に、フレキシブル層５の敷設面積が前側ランニングボード１及び後側ランニングボード２の上表面の面積と、ヒンジスロットの上表面の面積との和より大きくてもよく、且つ、フレキシブル層５が本開示の実施例に係るランニングボードアセンブリの折り畳み、展開及び使用に影響しない。
【００３３】
フレキシブル層５を様々な方式で前側ランニングボード１及び後側ランニングボード２の上表面に敷設することができ、容易に設置可能、高接続強度の前提で、以下に例を挙げて説明する。
【００３４】
可能な一実現方式では、フレキシブル層５が接着方式で前側ランニングボード１及び後側ランニングボード２の上表面に敷設される。接着方式は異なる材質で製造されたフレキシブル層５を前側ランニングボード１及び後側ランニングボード２に固定して接続することに役立ち、且つ操作しやすい。
【００３５】
例示的に、強力接着剤でフレキシブル層５を前側ランニングボード１及び後側ランニングボード２の上表面に接着することができる。強力接着剤が３Ｍ強力接着剤であってもよい。
【００３６】
フレキシブル層５と前側ランニングボード１及び後側ランニングボード２との接着力を増加させるために、フレキシブル層５、前側ランニングボード１及び後側ランニングボード２の接着面に粗構造を設置することにより、強力接着剤層との接着強度を向上させることができる。該粗構造は強力接着剤を収納するための円形、四角形、三角形、他の規則又は不規則構造の凹溝であってもよく、それによりフレキシブル層５と前側ランニングボード１及び後側ランニングボード２との間により多くの強力接着剤を収納し、更にフレキシブル層１と前側ランニングボード１及び後側ランニングボード２との接続強度を向上させる。
【００３７】
例示的に、更に面ファスナーでフレキシブル層５を前側ランニングボード１及び後側ランニングボード２の上表面に接着することができる。面ファスナーの接着方式は、フレキシブル層５を前側ランニングボード１及び後側ランニングボード２に固定して接続するように確保することができるだけでなく、フレキシブル層５と前側ランニングボード１及び後側ランニングボード２との着脱にも役立つ。
【００３８】
面ファスナーはナイロンフック及びナイロンループを含むナイロンベルクロであってもよい。フレキシブル層５の下表面には例えば接着ナイロンフックが設置されてもよく、前側ランニングボード１及び後側ランニングボード２の上表面には例えば接着ナイロンループが設置されてもよく、ナイロンフック及びナイロンループを接着することにより、フレキシブル層５を前側ランニングボード１及び後側ランニングボード２の上表面に接着敷設する。
【００３９】
他の可能な実現方式において、フレキシブル層５が係着方式で前側ランニングボード１及び後側ランニングボード２の上表面に敷設される。係着方式は、フレキシブル層５と前側ランニングボード１及び後側ランニングボード２との接続を固定するように確保することができるだけでなく、フレキシブル層５と前側ランニングボード１及び後側ランニングボード２との着脱にも役立つ。
【００４０】
例示的に、フレキシブル層５の下表面に複数の雄ファスナー又は雌ファスナーを設置し、前側ランニングボード１の上表面及び後側ランニングボード２の上表面に複数の雌ファスナー又は雄ファスナーを設置してもよく、雄ファスナーを雌ファスナーに適応的に締結すれば、フレキシブル層５と前側ランニングボード１及び後側ランニングボード２との接続を実現することができる。取り外す必要があるとき、フレキシブル層５を上向きに引き上げればよい。
【００４１】
又は、フレキシブル層５の下表面に複数の係止ブロックを設置するが、前側ランニングボード１の上表面及び後側ランニングボード２の上表面には係止ブロックに適応する複数の係止溝を設置してもよく、係止ブロックを係止溝に適応的に係着すれば、フレキシブル層５と前側ランニングボード１及び後側ランニングボード２との接続を実現することができる。取り外す必要があるとき、フレキシブル層５を上向きに引き上げればよい。
【００４２】
具体的な応用シーンに応じてフレキシブル層５の厚さを設定してもよく、可能な一実現方式では、フレキシブル層５の厚さが０．８ｍｍ〜１．２ｍｍであってもよく、例えば０．８ｍｍ、０．９ｍｍ、１．０ｍｍ、１．１ｍｍ、１．２ｍｍ等であってもよい。このようにフレキシブル層５の厚さを設定すれば、ユーザがランニングスポーツをする際の快適性を向上させる上で、更にフレキシブル層５が柔らかすぎるため、ユーザの足の裏の触感がより悪いことを避ける。
【００４３】
フレキシブル層５は優れた柔軟性及び塑性を有する様々な材料で製造されてもよく、可能な一実現方式では、フレキシブル層５はエチレン−酢酸ビニル共重合体又はポリエチレンで製造される。
【００４４】
エチレン−酢酸ビニル共重合体（ＥＶＡ：ｅｔｈｙｌｅｎｅ−ｖｉｎｙｌ  ａｃｅｔａｔｅ  ｃｏｐｏｌｙｍｅｒ）でフレキシブル層５を製造することにより、フレキシブル層５に耐水性、耐腐食性、塑性、加工容易性、防振性、防音性等の優れた特性を与える。ポリエチレン（ＰＥ：ｐｏｌｙｅｔｈｙｌｅｎｅ）でフレキシブル層５を製造することにより、フレキシブル層５に耐水性、耐腐食性、塑性等の優れた特性を与える。且つ、ＥＶＡ及びＰＥは価格が低く、入手しやすい。
【００４５】
環状ランニングベルト４が伝動中にフレキシブル層５を摩耗することを避けるために、可能な一実現方式では、図２−２に示すように、本開示の実施例に係るランニングボードアセンブリは更にフレキシブル層５の上表面に敷設される耐摩耗層６を含む。
【００４６】
耐摩耗層６が優れた塑性を有すべきであり、本開示の実施例に係るランニングボードアセンブリの折り畳み及び展開に影響しないと理解される。
【００４７】
耐摩耗層６を様々な方式でフレキシブル層５の上表面に敷設することができ、容易に設置でき、接続強度が高い上で、以下に例を挙げて説明する。
【００４８】
可能な一実現方式では、耐摩耗層６が接着方式でフレキシブル層５の上表面に敷設される。接着方式は異なる材質で製造された耐摩耗層６をフレキシブル層５に固定して接続することに役立ち、且つ操作しやすい。
【００４９】
例示的に、強力接着剤で耐摩耗層６をフレキシブル層５の上表面に接着する。
【００５０】
例示的に、面ファスナーで耐摩耗層６をフレキシブル層５の上表面に接着する。
【００５１】
強力接着剤又は面ファスナーの設置方式は上記フレキシブル層５についての説明を参照してもよく、ここで詳細な説明は省略する。
【００５２】
他の可能な実現方式において、耐摩耗層６が係着方式でフレキシブル層５の上表面に敷設される。係着方式は、耐摩耗層６とフレキシブル層５との接続を固定するように確保することができるだけでなく、耐摩耗層６とフレキシブル層５との着脱にも役立つ。
【００５３】
例示的に、耐摩耗層６の下表面に複数の雄ファスナー又は雌ファスナーを設置し、フレキシブル層５の上表面に複数の雌ファスナー又は雄ファスナーを設置してもよく、雄ファスナーを雌ファスナーに適応的に接続すれば、フレキシブル層５と耐摩耗層６との接続を実現することができる。取り外す必要があるとき、耐摩耗層６を上向きに引き上げればよい。
【００５４】
例示的に、耐摩耗層６の下表面に複数の係止ブロックを設置するが、フレキシブル層５の上表面には係止ブロックに適応する複数の係止溝を設置してもよく、係止ブロックを係止溝に適応的に係着すれば、耐摩耗層６とフレキシブル層５との接続を実現することができる。取り外す必要があるとき、耐摩耗層６を上向きに引き上げればよい。
【００５５】
具体的な応用シーンに応じて耐摩耗層６の厚さを設定してもよく、可能な一実現方式では、耐摩耗層６の厚さが０．３〜０．５ｍｍであってもよく、例えば０．３ｍｍ、０．４ｍｍ、０．５ｍｍ等であってもよい。このように耐摩耗層６の厚さを設定すれば、フレキシブル層５が摩耗されることを避ける上で、フレキシブル層５の厚さに適応し、ユーザの足の裏の触感を良くし、快適にランニングをすることができる。
【００５６】
耐摩耗層６は耐摩耗性、塑性等の特性を有する様々な材料で製造されてもよく、可能な一実現方式では、耐摩耗層６はポリテトラフルオロエチレン、ナイロン、又はポリエチレンテレフタレートで製造される。
【００５７】
ポリテトラフルオロエチレン（ＰＴＦＥ：Ｐｏｌｙ  ｔｅｔｒａ  ｆｌｕｏｒｏｅｔｈｙｌｅｎｅ）で耐摩耗層６を製造することにより、耐摩耗層６に耐腐食性、高潤滑非粘着性、電気絶縁性、耐熱性、耐摩耗性等の優れた特性を与えることができる。ポリテトラフルオロエチレンはテフロン（登録商標）又はポリ四フッ化エチレンとも称される。
【００５８】
ナイロン（ＰＡ：Ｐｏｌｙａｍｉｄｅ）で耐摩耗層６を製造することにより、耐摩耗層６に優れた引張強度、衝撃強度、剛性、耐摩耗性、耐化学腐食性等の優れた特性を与えることができる。ナイロンはポリアミド繊維とも称される。
【００５９】
ポリエチレンテレフタレート（ＰＥＴ：Ｐｏｌｙｅｔｈｙｌｅｎｅ  ｔｅｒｅｐｈｔｈａｌａｔｅ）で耐摩耗層６を製造することにより、耐摩耗層６に優れた耐クリープ性、耐疲労性、耐摩擦性、寸法安定性を与えることができる。且つ、ＰＴＦＥ、ＰＡ、ＰＥＴは価格が低く、入手しやすい。
【００６０】
耐摩耗層６と環状ランニングベルト４との間での摺動摩擦に起因して騒音が生じることを避けて、環状ランニングベルト４がスムーズに伝動できるように確保するために、図２−３に示すように、本開示の実施例に係るランニングボードアセンブリは更に耐摩耗層６の上表面に敷設される平滑化層７を含む。
【００６１】
平滑化層７の摩擦係数の大きさが環状ランニングベルト４の摩擦係数に合わせる必要があり、耐摩耗層６と環状ランニングベルト４との間での摺動摩擦に起因して騒音が生じることを避けることができるだけでなく、環状ランニングベルト４がスムーズに伝動できるように確保することもできると理解される。且つ、ユーザが環状ランニングベルト４でスポーツする際に、滑ることがない。
【００６２】
平滑化層７を様々な方式で耐摩耗層６の上表面に敷設することができ、容易に設置でき、接続強度が高い上で、以下に例を挙げて説明する。
【００６３】
可能な一実現方式では、平滑化層７が接着方式で耐摩耗層６に敷設される。接着方式は異なる材質で製造された平滑化層７を耐摩耗層６に固定して接続することに役立ち、且つ操作しやすい。その具体的な設置方式はフレキシブル層５についての説明を参照してもよい。
【００６４】
他の可能な実現方式において、スプレー方式で平滑化層７を耐摩耗層６の上表面に敷設することができる。スプレー方式は異なる材質で製造された平滑化層７を耐摩耗層６に固定して接続することに役立ち、且つ操作しやすい。
【００６５】
平滑化層７は摩擦係数が耐摩耗層６より小さい様々な材質で製造されてもよく、可能な一実現方式では、平滑化層７はグラファイトを混入したゴム材料で製造される。このように平滑化層７の材質を設定すれば、平滑化層７がより小さな摩擦係数を有するだけでなく、ユーザがランニングスポーツをする際の足の裏の触感も良くなる。
【００６６】
本開示の実施例に係るランニングボードアセンブリを折り畳み又は展開するとき、ヒンジスロット両側のフレキシブル層５が前側ランニングボード１又は後側ランニングボード２と分離して突起を形成することを避けるために、可能な一実現方式では、図２−４に示すように、本開示の実施例に係るランニングボードアセンブリは更にヒンジスロット両側のフレキシブル層５と前側ランニングボード１及び後側ランニングボード２との接続を固定するように配置される第１固定具８を含む。
【００６７】
第１固定具８は様々な形式で設置されてもよく、容易に設置できる上で、以下にいくつかの例を挙げる。
【００６８】
例示的に、図２−４に示すように、第１固定具８が強力接着剤層であり、且つ、強力接着剤層がヒンジスロットの両側でそれぞれフレキシブル層５と前側ランニングボード１との間、及びフレキシブル層５と後側ランニングボード２との間に接着される。
【００６９】
上記強力接着剤層が３Ｍ強力接着剤層であってもよい。
【００７０】
フレキシブル層５が接着方式で前側ランニングボード１及び後側ランニングボード２の上表面に敷設される場合、第１固定具８は厚さがより大きな強力接着剤層であると理解される。
【００７１】
フレキシブル層５と前側ランニングボード１及び後側ランニングボード２との接続強度を更に向上させるために、ヒンジスロット両側のフレキシブル層５の下表面、並びに前側ランニングボード１及び後側ランニングボード２の上表面に粗構造を設置することができ、このように設置すれば、強力接着剤層をそれらの間に接着するとき、接着強度のより高い第１固定具８を形成することができる。
【００７２】
具体的な応用シーンに応じてヒンジスロット両側の強力接着剤層の寸法規格を設定してもよく、可能な一実現方式では、ヒンジスロット両側の強力接着剤層の前後方向における全長が１〜２ｃｍであり、例えば１ｃｍ、１．２ｃｍ、１．４ｃｍ、１．６ｃｍ、１．８ｃｍ、２ｃｍ等であってもよく、厚さが０．１〜０．２ｍｍであり、例えば０．１ｍｍ、０．１２ｍｍ、０．１４ｍｍ、０．１６ｍｍ、０．１８ｍｍ、０．２ｍｍ等であってもよい。
【００７３】
ただし、上記強力接着剤層の前後方向における全長とは、前側ランニングボード１に接着される強力接着剤層の前後方向における長さ、ヒンジスロットの前後方向における長さ、後側ランニングボード２に接着される強力接着剤層の前後方向における長さの和を意味する。
【００７４】
このようにヒンジスロット両側の強力接着剤層の寸法を設定すれば、ヒンジスロット両側の前側ランニングボード１とフレキシブル層５との間、後側ランニングボード２とフレキシブル層５との間の接続強度を向上させ、本開示の実施例に係るランニングボードアセンブリを折り畳み又は展開するとき、フレキシブル層５が前側ランニングボード１、後側ランニングボード２を離れることを避ける。
【００７５】
例示的に、第１固定具８が複数のリベットであり、且つ、複数のリベットでヒンジスロットの両側にそれぞれフレキシブル層５と前側ランニングボード１とを、及びフレキシブル層５と後側ランニングボード２とをリベット継ぎする。リベット継ぎによって、ヒンジスロット両側のフレキシブル層５と前側ランニングボード１及び後側ランニングボード２との接続を固定することができるだけでなく、且つ操作しやすく、着脱しやすい。
【００７６】
上記リベットはフレキシブルリベットであってもよいし、非フレキシブルリベットであってもよく、例えば、フレキシブルリベットを用いるとき、フレキシブルリベットはフレキシブル層５と同じ材質の材料で製造されてもよく、それによりユーザが環状ランニングベルト４でスポーツする際の不快感を避ける。
【００７７】
非フレキシブルリベットを用いるとき、ユーザがランニングをする際の快適性に影響することを避けるために、ヒンジスロット両側のフレキシブル層５に複数のザグリ穴を設置することにより、リベットでザグリ穴を貫通させて前側ランニングボード１又は後側ランニングボード２にリベット継ぎした後、その先端をフレキシブル層５の表面下部に位置させることができる。
【００７８】
例示的に、第１固定具８が複数のフレキシブル締め付け部材であり、且つ、複数のフレキシブル締め付け部材がヒンジスロットの両側でそれぞれフレキシブル層５と前側ランニングボード１とを、及びフレキシブル層５と後側ランニングボード２とを締め付ける。複数のフレキシブル締め付け部材によって、ヒンジスロット両側のフレキシブル層５をそれぞれ前側ランニングボード１及び後側ランニングボード２に締め付けることができ、操作しやすく、且つ、フレキシブル締め付け部材がフレキシブル性を有するため、ユーザが環状ランニングベルト４でスポーツする際の快適性に影響しない。
【００７９】
フレキシブル締め付け部材はフレキシブル締め付けベルト又はフレキシブル締め付けリングであってもよく、例えば、フレキシブル締め付け部材がフレキシブル締め付けベルトである場合、フレキシブル締め付けベルトをそれぞれヒンジスロットに接近するフレキシブル層５及び前側ランニングボード１、並びにフレキシブル層５及び後側ランニングボード２に巻き付けることができ、それによりヒンジスロット両側のフレキシブル層５と前側ランニングボード１及び後側ランニングボード２との接続を固定する。
【００８０】
フレキシブル締め付け部材がフレキシブル締め付けリングである場合、フレキシブル締め付け部材をそれぞれヒンジスロット両側のフレキシブル層５及び前側ランニングボード１、並びにフレキシブル層５及び後側ランニングボード２に套設し、それによりヒンジスロット両側のフレキシブル層５と前側ランニングボード１及び後側ランニングボード２との接続を固定する。
【００８１】
更に、本開示の実施例に係るランニングボードアセンブリを折り畳み又は展開するとき、ヒンジスロット箇所のフレキシブル層５が耐摩耗層６と分離して突起を形成することを避けるために、可能な一実現方式では、図２−５に示すように、本開示の実施例に係るランニングボードアセンブリは更にヒンジスロットの上方のフレキシブル層５と耐摩耗層６との接続を固定するように配置される第２固定具９を含む。
【００８２】
図２−５に示すように、第２固定具９は第１固定具８と同様に様々な形式で設置されてもよく、容易に設置できる上で、第２固定具９が強力接着剤層である。
【００８３】
耐摩耗層６が接着方式でフレキシブル層５に敷設される場合、第２固定具９は厚さがより大きな強力接着剤層であると理解される。第２固定具９の具体的な設置方式は第１固定具８が強力接着剤層である場合の設置方式を参照し、ここで詳細な説明は省略する。
【００８４】
具体的な応用シーンに応じて第２固定具９の寸法規格を設定してもよく、可能な一実現方式では、第２固定具９の前後方向における長さが１〜２ｃｍであり、例えば１ｃｍ、１．２ｃｍ、１．４ｃｍ、１．６ｃｍ、１．８ｃｍ、２ｃｍ等であってもよく、厚さが０．１〜０．２ｍｍであり、例えば０．１ｍｍ、０．１２ｍｍ、０．１４ｍｍ、０．１６ｍｍ、０．１８ｍｍ、０．２ｍｍ等であってもよい。このように第２固定具９の寸法を設定すれば、フレキシブル層５と耐摩耗層６との接続強度を向上させ、且つフレキシブル層５及び耐摩耗層６の寸法にマッチングする。
【００８５】
前側ランニングボード１の後端面及び後側ランニングボード２の前端面がヒンジ部材３でヒンジ連結されることにより、前側ランニングボード１及び後側ランニングボード２の折り畳み及び展開を実現する。一例として、ヒンジ部材３は第１接続部、ヒンジピン、第２接続部を含み、第１接続部は前端が前側ランニングボード１の後端面に接続され、後端に第１ヒンジピン穴が設置され、第２接続部は後端が後側ランニングボード２の前端面に接続され、前端に第２ヒンジピン穴が設置され、ヒンジピンが第１ヒンジピン穴及び第２ヒンジピン穴に回転可能に設置される。
【００８６】
図３に示すように、本開示の実施例に係るランニングボードアセンブリは更に前部ローラ１０、後部ローラ１１、ブラケット（図示せず）を含み、ブラケットがそれぞれ前側ランニングボード１、後側ランニングボード２、前部ローラ１０、後部ローラ１１を支持するように配置され、前部ローラ１０が前側ランニングボード１の前方に回転可能に設置され、後部ローラ１１が後側ランニングボード２の後方に回転可能に設置され、環状ランニングベルト４は前部ローラ１０及び後部ローラ１１に套設されてそれらの回りに伝動するとともに、前側ランニングボード１、後側ランニングボード２をその内部に収納し、それにより前側ランニングボード１、後側ランニングボード２に、伝動可能のように隙間を置いて套設される。
【００８７】
前部ローラ１０、後部ローラ１１の直径がいずれも前側ランニングボード１及び後側ランニングボード２の厚さより大きく、デフォルト状態において、環状ランニングベルト４と前側ランニングボード１及び後側ランニングボード２との間に隙間を有し、つまり環状ランニングベルト４が前側ランニングボード１及び後側ランニングボード２に完全に密着していない。スポーツするとき、駆動アセンブリによって前部ローラ１０を駆動して動作させ、それに伴って、後部ローラ１１が環状ランニングベルト４の伝動下で従動する。このとき、ユーザの足が環状ランニングベルト４に踏んでいるとき、環状ランニングベルト４が前側ランニングボード１及び後側ランニングボード２に設置される耐摩耗層６に直接接触すると理解される。
【００８８】
本開示の実施例は更にランニングマシンを提供し、該ランニングマシンは上記ランニングボードアセンブリを備える。
【００８９】
本開示の実施例に係るランニングボードアセンブリをランニングマシンに応用し、ランニングマシンを利用するとき、ランニングボードアセンブリを展開し、ランニングボードアセンブリにフレキシブル層５が設置されるため、ユーザが快適にスポーツすることができる。ランニングマシンを収納するとき、ランニングボードアセンブリを折り畳むことにより、その占有面積を減少させ、容易に収納できる。
【００９０】
また、ランニングボードアセンブリに耐摩耗層６が設置されるため、フレキシブル層５が摩耗されることを避け、フレキシブル層５の耐用年数を延ばす。耐摩耗層６の上表面に平滑化層７を敷設することにより、環状ランニングベルト４との摺動摩擦力を減少させ、環状ランニングベルト４が伝動中に摩擦に起因して騒音が生じることを避け、且つ環状ランニングベルト４がスムーズに伝動でき、それによりユーザが該ランニングマシンでスポーツする際の体験を更に改善する。
【００９１】
一例として、該ランニングマシンは、更に、ランニングボードアセンブリを駆動して動作させるように配置される駆動アセンブリと、駆動アセンブリを制御するように配置される制御アセンブリと、を備える。
【００９２】
具体的に、制御アセンブリは駆動アセンブリが動作できるかどうか、駆動アセンブリの出力動力の大きさ等を制御するように配置される。駆動アセンブリは前部ローラ１０及び／又は後部ローラ１１に駆動力を供給することにより、前部ローラ１０及び／又は後部ローラ１１によって環状ランニングベルト４を駆動して伝動させるように配置される。
【００９３】
可能な一実現方式では、駆動アセンブリは前部ローラ１０のみに駆動力を供給し、それを回転させることができるが、後部ローラ１１が前部ローラ１０及び環状ランニングベルト４の協働下で、前部ローラ１０に伴って従動すればよい。該実現方式はランニングマシンの構造を簡素化することにより、制御アセンブリに係合するように駆動アセンブリをすべてランニングマシンの前部に配置することに役立つだけでなく、エネルギー消費量の削減にも役立つ。
【００９４】
可能な一実現方式では、制御アセンブリは内部にＣＰＵ（中央演算装置、Ｃｅｎｔｒａｌ  Ｐｒｏｃｅｓｓｉｎｇ  Ｕｎｉｔ）が設置されるコントローラを備え、それによりユーザがコントローラに入力した制御命令を解釈、処理して、駆動アセンブリに動作命令を送信することにより、駆動アセンブリが動作するように制御する。
【００９５】
例示的に、駆動アセンブリは前部ローラ１０に伝動に連結され、コントローラに電気的に接続されるモータを備える。コントローラはモータの動作を制御し、モータが動作するとき、動力を前部ローラ１０に伝達してそれを回転させ、更に環状ランニングベルト４を駆動して伝動させる。
【００９６】
当業者が明細書を考慮し且つここで開示される発明を実践した後、本開示の他の実施案を容易に想到し得る。本願の趣旨は、本開示のいかなる変形、用途又は適応的変化を含むことであるが、これらの変形、用途又は適応的変化は本開示の一般原理に従い、且つ本開示に開示されていない本技術分野における周知技術又は慣用技術手段を含む。明細書及び実施例は例示的なものに過ぎないと見なされ、本開示の真の範囲及び主旨は特許請求の範囲に準じる。
【００９７】
本開示は以上に説明されて図示されている正確な構造に制限されるものではなく、その範囲を逸脱せずに、種々の修正及び変更を行うことができると理解すべきである。本開示の範囲は添付の特許請求の範囲に準じる。
【産業上の利用可能性】
【００９８】
本開示の実施例に係るランニングボードアセンブリは、前側ランニングボード及び後側ランニングボードの上表面にフレキシブル層を敷設して、ヒンジスロットを覆っていることにより、ヒンジスロットで形成された「窪み」を埋めることができるだけでなく、フレキシブル層がフレキシブル特性を有するため、前側ランニングボード及び後側ランニングボードの折り畳み及び展開にも影響しない。このように設置すれば、ヒンジスロットで形成された「窪み」を埋めるため、ユーザがヒンジスロットの上方の環状ランニングベルトでスポーツする際に足の裏の不快感を避ける一方、フレキシブル層によって更に環状ランニングベルトと前側ランニングボード及び後側ランニングボードとの衝撃・振動を軽減することもでき、それによりユーザがランニングボードアセンブリでスポーツする際の体験を更に改善する。
【図１−１】
2020504638.tif 000003
【図１−２】
2020504638.tif 000004
【図２−１】
2020504638.tif 000005
【図２−２】
2020504638.tif 000006
【図２−３】
2020504638.tif 000007
【図２−４】
2020504638.tif 000008
【図２−５】
2020504638.tif 000009
【図３】
2020504638.tif 000010
【国際調査報告】
2020504638.tif 000011
2020504638.tif 000012
2020504638.tif 000013
2020504638.tif 000014
2020504638.tif 000015
2020504638.tif 000016